(57)【要約】      （修正有）【課題】設置場所の広さ等の状況に応じて自在に形状を変化させることのできる組み立て式収納棚を提供する。【解決手段】横方向に延設され対向する一対のＸ方向単管パイプ１ａ、１ｂと、奥行き方向に延設され対向する一対のＹ方向単管パイプ１ｃ、１ｄと、が互いに接続された枠体１Ａと、一対のＸ方向単管パイプ１ａ、１ｂと一対のＹ方向単管パイプと１ｃ、１ｄで囲われた水平面に架設され物の設置を可能とする設置面１６と、隣接する枠体同士を互いの４つの角部において垂直方向に結合するＺ方向単管パイプ９ａ、９ｂ、９ｃ、９ｄと、を備える。【選択図】図１
2016010688.tif 000002
【特許請求の範囲】
【請求項１】
横方向に延設され対向する一対のＸ方向単管パイプと、
奥行き方向に延設され対向する一対のＹ方向単管パイプと、
が互いに接続された枠体と、
一対の前記Ｘ方向単管パイプと一対の前記Ｙ方向単管パイプとで囲われた水平面に架設され物の設置を可能とする設置面と、
隣接する前記枠体同士を互いの４つの角部において垂直方向に結合するＺ方向単管パイプと、
を備える単位枠体複数からなる縦横変形自在棚であって、
前記縦横変形自在棚は、前記単位枠体を、垂直方向に連結させた縦型の第一の状態と、前記単位枠体のうちの所定の数分を前記第一の状態における側方側において接続し、垂直方向に蓄層させた前記単位枠体に対して側方側に一列分さらに垂直に連結させた横型の第二の状態と
に変化させることができ、
２本の前記Ｘ方向単管パイプのそれぞれの一端と、
１本の前記Ｙ方向単管パイプの両端とは、
前記Ｘ・Ｙ・Ｚ単管パイプの外径に等しい内径で両端に穴部を備える垂直円筒状部と、前記Ｘ方向単管パイプ及び前記Ｙ方向単管パイプのそれぞれと同じ方向に、前記垂直円筒状部と垂直で互いの角度も直角になるように取り付けられた、前記垂直円筒状部の外壁部を一端とし他端部には穴部を備える２つの水平円筒状部と、を備えた２つの４ポートパイプジョイントを用いて接続し、
前記枠体のうち、少なくとも、前記第二の状態の際に、前記一列分さらに垂直に連結させた枠体と、接続される側の枠体においては、
２本の前記Ｘ方向単管パイプのそれぞれの他端と、
１本の前記Ｙ方向単管パイプの両端とは、
前記Ｘ・Ｙ・Ｚ単管パイプの外径に等しい内径で両端に穴部を備える垂直円筒状部と、前記Ｘ方向単管パイプと同じ方向で前記垂直円筒状部と垂直で互いの角度も直角になるように取り付けられた両端に穴部を備える２穴水平円筒状部と、前記Ｙ方向単管パイプと同じ方向で前記垂直円筒状部と垂直で互いの角度も直角になるように取り付けられた、前記垂直円筒状部の外壁部を一端とし他端部には穴部を備える水平円筒状部と、を備えた５ポートパイプジョイント２つを用いて接続し、
第一の状態から第二の状態へは、
前記第一の状態の前記単位枠体のうち、垂直方向最上部から垂直方向下方側に向かって取り外し対象とする所定の数分の前記単位枠体の内の最下部に位置する前記単位枠体については、
２つの前記４ポートパイプジョイントを取り外すと共に、
取り外された２つの前記４ポートパイプジョイントの前記Ｙ方向単管パイプと同じ方向の前記水平円筒状部で接続された１本の前記Ｙ方向単管パイプと、
４つの角部に対して垂直方向下方側に接続された４本の前記Ｚ方向単管パイプと、
を取り外し、
前記取り外し対象とする所定の数分の前記単位枠体の内、前記最下部に位置する前記単位枠体以外の所定の数分の前記単位枠体については、
２つの前記４ポートパイプジョイントを取り外すと共に、
取り外された前記４ポートパイプジョイントの前記Ｙ方向単管パイプと同じ方向の前記水平円筒状部で結合された１本の前記Ｙ方向単管パイプと
取り外された前記４ポートパイプジョイントが設置されていた位置と同じ場所に位置する２つの角部に対して垂直方向下方側に接続された２本の前記Ｚ方向単管パイプと、
を取り外し、
前記取り外し対象とする所定の数分の前記単位枠体を、前記５ポートパイプジョイントを挟むように前記縦型に蓄層された前記単位枠体の側方方向に移動させ、
前記４ポートパイプジョイント、前記Ｙ方向単管パイプ、及び前記Ｚ方向単管パイプが取り外された、前記取り外し対象とする所定の数分の前記単位枠体における前記Ｘ方向単管パイプの一端を、
移動せずに残された前記単位枠体の前記Ｘ方向単管パイプの一端に取り付けられた前記５ポートパイプジョイントにおける前記Ｘ方向単管パイプと同じ方向で両端に穴部を備える２穴水平円筒状部の一端に
接続させることで
自在に変化させることができる、ことを特徴とする組み立て式収納棚。
【請求項２】
隣接する一対の前記Ｚ方向のパイプ間に架設され、物の落下防止のための落下防止部を備える、ことを特徴とする請求項１記載の組み立て式収納棚。
【請求項３】
前記第二の状態の垂直方向最上部と最下部のそれぞれにおける、水平方向に隣接する前記単位枠体同士の中間部分に、それぞれ横方向に延設され対向する一対の第二Ｘ方向単管パイプを備えることで物を収納できるスペースが設けられた第三状態において、
第一状態から第三状態へは、
前記第一の状態の前記単位枠体のうち、垂直方向最上部から垂直方向下方側に向かって取り外し対象とする所定の数分の前記単位枠体の内、最下部に位置する前記単位枠体については、
４つの角部に対して垂直方向下方側に接続された４本の前記Ｚ方向単管パイプを取り外し、
１本の前記Ｙ方向単管パイプの両端に設置された２つの前記４ポートパイプジョイントの前記垂直円筒状部と２つの前記水平円筒状部の有するそれぞれの穴部分が、１本の前記Ｘ方向単管パイプと１本の前記Ｙ方向単管パイプと垂直方向上方側の１本の前記Ｚ方向単管パイプと１本の前記第二Ｘ方向単管パイプと、のそれぞれを接続できる方向に付け替え、各々１本ずつの前記Ｘ・Ｙ・Ｚ・第二Ｘ単管パイプをそれぞれ対応する前記４ポートパイプジョイントに接続し、
前記取り外し対象とする所定の数分の前記単位枠体の内、最上部に位置する前記単位枠体については、
１本の前記Ｙ方向単管パイプの両端に設置された２つの前記４ポートパイプジョイントの前記垂直円筒状部と２つの前記水平円筒状部の有するそれぞれの穴部分が、１本の前記Ｘ方向単管パイプと１本の前記Ｙ方向単管パイプと垂直方向下方側の１本の前記Ｚ方向単管パイプと１本の前記第二Ｘ方向単管パイプと、のそれぞれを接続できる方向に付け替え、各々１本ずつの前記Ｘ・Ｙ・Ｚ・第二Ｘ単管パイプをそれぞれ対応する前記４ポートパイプジョイントに接続し、
前記取り外し対象とする所定の数分の前記単位枠体を、前記５ポートパイプジョイントを挟むように前記縦型に蓄層された前記単位枠体の側方方向に移動させ、
前記取り外し対象とする所定の数分の前記単位枠体の内の最上部及び最下部のそれぞれに位置する前記単位枠体の一対の前記第二Ｘ方向単管パイプの一端を、
移動せずに残された前記単位枠体の前記Ｘ方向単管パイプの一端に取り付けられた前記５ポートパイプジョイントにおける前記Ｘ方向単管パイプと同じ方向で両端に穴部を備える２穴水平円筒状部の一端に
接続させることで
自在に変化させることができる、ことを特徴とする請求項１又は請求項２記載の組み立て式収納棚。
【請求項４】
前記第二の状態の垂直方向最上部と最下部の、それぞれにおける前記単位枠体の一端部分に横方向に延設され対向する一対の第二Ｘ方向単管パイプと、前記第二Ｘ方向単管パイプのそれぞれ最上部と最下部の水平方向で対向する前記第二Ｘ方向単管パイプ同士を接続する２本の前記Ｙ方向単管パイプと、前記第二Ｘ方向単管パイプのそれぞれ最上部と最下部の垂直方向で対向する前記第二Ｘ方向単管パイプ同士を接続する２本の前記Ｚ方向単管パイプと、が前記４ポートパイプジョイント又は前記５ポートパイプジョイントで接続されることで形成される、物が収納できるスペースを前記第二の状態の一端部に有する、ことを特徴とする請求項１又は請求項２記載の組み立て式収納棚。
【請求項５】
前記縦型においては、１２本の前記Ｘ方向単管パイプの長さを略５１ｃｍ、１２本の前記Ｙ方向単管パイプの長さを略２５ｃｍ、４本の前記Ｚ方向単管パイプの長さを略５１ｃｍ、１６本の前記Ｚ方向単管パイプの長さを略１７ｃｍとし、
前記横型においては、１２本の前記Ｘ方向単管パイプの長さを略５１ｃｍ、１２本の前記Ｙ方向単管パイプの長さを略２５ｃｍ、１２本の前記Ｚ方向単管パイプの長さを略１７ｃｍ、４本の前記Ｚ方向単管パイプの長さ略５１ｃｍ、４本の前記第二Ｘ方向単管パイプの長さ略１７ｃｍとした組み合わせから成る縦型と横型とでは、縦型が横略５４．５ｃｍ、奥行略２８．５ｃｍ、高さ略１２３．５ｃｍであり、横型が横略１２５ｃｍ、奥行略２８．５ｃｍ、高さ略５５．５ｃｍであり、縦型の横の長さと横型の高さ、縦型の高さと横型の横の長さが略同じとなり、縦型と横型の奥行が略同じとなる、ことを特徴とする請求項３又は請求項４記載の組み立て式収納棚。
【請求項６】
全体又は大部分を覆うようなカバーの取り付けが可能である、ことを特徴とする請求項１〜請求項５記載の組み立て式収納棚。
【請求項７】
同じ大きさのカバーの取り付けが可能である、ことを特徴とする請求項５記載の組み立て式収納棚。
【発明の詳細な説明】
【技術分野】
【０００１】
本発明は、収納棚に関する。さらに詳しくは、組み立て式の収納棚に関する。
【背景技術】
【０００２】
従来の組み立て式の収納棚では、特許文献１で示されるように垂直縦方向に連なった形状でのみ使用できるものであった。該組み立て式収納棚とは、単位枠体を８本の単管パイプとそれらを上下、直角方向に連結するパイプジョイントで構成される。４個のパイプジョイントを四角形状に並べ、それらの前側、後ろ側の左右間と、右側、左側の前後間を単管パイプで繋ぎ、各パイプジョイントには上方より単管パイプを差し込んで単位枠体とする。単位枠体を垂直方向に複数個積み上げ最上段単位枠体の上端にはパイプジョイントを取り付け単管パイプで繋ぐ、といったものであった。
【先行技術文献】
【特許文献】
【０００３】
【特許文献１】実用新案登録第３１９０１３２号
【発明の概要】
【発明が解決しようとする課題】
【０００４】
従来の組み立て式の収納棚は、上記のように垂直縦方向に連なった形状でのみ使用するものであったから、このような縦長の収納棚を設置することができるだけの高さのないスペースでは、その収納棚自体を置くことができなかったり、また見た目の圧迫感のために置く場所が限られてしまったり、といった問題があった。
【０００５】
本発明は上記事情に鑑み、収納棚を垂直縦方向にのみ連ねた縦長の形状のみならず、その縦型から容易に変形させて横方向の収納棚が形成されるようにすることで、設置場所の広さ等の状況に応じて自在に形状を変化させることのできる収納棚の提供を目的とする。
【課題を解決するための手段】
【０００６】
第一発明は、横方向に延設され対向する一対のＸ方向単管パイプと、奥行き方向に延設され対向する一対のＹ方向単管パイプと、が互いに接続された枠体と、一対の前記Ｘ方向単管パイプと一対の前記Ｙ方向単管パイプとで囲われた水平面に架設され物の設置を可能とする設置面と、隣接する前記枠体同士を、互いの４つの角部において垂直方向に連結するＺ方向単管パイプと、を備える単位枠体複数からなる縦横変形自在棚であって、前記縦横変形自在棚は、前記単位枠体を、垂直方向に連結させた縦型の第一の状態と、前記単位枠体のうち、所定の数分を前記第一の状態における側方側において接続し、垂直方向に蓄層させた前記単位枠体に対して側方側に一列分さらに垂直に連結させた横型の第二の状態とに変化させることができ、２本の前記Ｘ方向単管パイプのそれぞれの一端と、１本の前記Ｙ方向単管パイプの両端とは、前記Ｘ・Ｙ・Ｚ単管パイプの外径に等しい内径で両端に穴部を備える垂直円筒状部と、前記Ｘ方向単管パイプ及び前記Ｙ方向単管パイプのそれぞれと同じ方向に、前記垂直円筒状部と垂直で互いの角度も直角になるように取り付けられた、前記垂直円筒状部の外壁部を一端とし他端部には穴部を備える２つの水平円筒状部と、を備えた２つの４ポートパイプジョイントを用いて接続し、前記枠体のうち、少なくとも、前記第二の状態の際に、前記一列分さらに垂直に連結させた枠体と、接続される側の枠体においては、２本の前記Ｘ方向単管パイプのそれぞれの他端と、１本の前記Ｙ方向単管パイプの両端とは、前記Ｘ・Ｙ・Ｚ単管パイプの外径に等しい内径で両端に穴部を備える垂直円筒状部と、前記Ｘ方向単管パイプと同じ方向で前記垂直円筒状部と垂直で互いの角度も直角になるように取り付けられた両端に穴部を備える２穴水平円筒状部と、前記Ｙ方向単管パイプと同じ方向で前記垂直円筒状部と垂直で互いの角度も直角になるように取り付けられた、前記垂直円筒状部の外壁部を一端とし他端部には穴部を備える水平円筒状部と、を備えた５ポートパイプジョイント２つを用いて接続し、第一の状態から第二の状態へは、前記第一の状態の前記単位枠体のうち、垂直方向最上部から垂直方向下方側に向かって取り外し対象とする所定の数分の前記単位枠体の内の最下部に位置する前記単位枠体については、２つの前記４ポートパイプジョイントを取り外すと共に、取り外された２つの前記４ポートパイプジョイントの前記Ｙ方向単管パイプと同じ方向の前記水平円筒状部で接続された１本の前記Ｙ方向単管パイプと、４つの角部に対して垂直方向下方側に接続された４本の前記Ｚ方向単管パイプと、を取り外し、前記取り外し対象とする所定の数分の前記単位枠体の内、前記最下部に位置する前記単位枠体以外の所定の数分の前記単位枠体については、２つの前記４ポートパイプジョイントを取り外すと共に、取り外された前記４ポートパイプジョイントの前記Ｙ方向単管パイプと同じ方向の前記水平円筒状部で結合された１本の前記Ｙ方向単管パイプと取り外された前記４ポートパイプジョイントが設置されていた位置と同じ場所に位置する２つの角部に対して垂直方向下方側に接続された２本の前記Ｚ方向単管パイプと、を取り外し、前記取り外し対象とする所定の数分の前記単位枠体を、前記５ポートパイプジョイントを挟むように前記縦型に蓄層された前記単位枠体の側方方向に移動させ、前記４ポートパイプジョイント、前記Ｙ方向単管パイプ、及び前記Ｚ方向単管パイプが取り外された、前記取り外し対象とする所定の数分の前記単位枠体における前記Ｘ方向単管パイプの一端を、移動せずに残された前記単位枠体の前記Ｘ方向単管パイプの一端に取り付けられた前記５ポートパイプジョイントにおける前記Ｘ方向単管パイプと同じ方向で両端に穴部を備える２穴水平円筒状部の一端に接続させることで自在に変化させることができる、ことを特徴とする。
【０００７】
第二発明は、隣接する一対の前記Ｚ方向のパイプ間に架設され、物の落下防止のための落下防止部を備える、ことを特徴とする。
【０００８】
第三発明は、前記第二の状態の垂直方向最上部と最下部のそれぞれにおける、水平方向に隣接する前記単位枠体同士の中間部分に、それぞれ横方向に延設され対向する一対の第二Ｘ方向単管パイプを備えることで物を収納できるスペースが設けられた第三状態において、第一状態から第三状態へは、前記第一の状態の前記単位枠体のうち、垂直方向最上部から垂直方向下方側に向かって取り外し対象とする所定の数分の前記単位枠体の内、最下部に位置する前記単位枠体については、４つの角部に対して垂直方向下方側に接続された４本の前記Ｚ方向単管パイプを取り外し、１本の前記Ｙ方向単管パイプの両端に設置された２つの前記４ポートパイプジョイントの前記垂直円筒状部と２つの前記水平円筒状部の有するそれぞれの穴部分が、１本の前記Ｘ方向単管パイプと１本の前記Ｙ方向単管パイプと垂直方向上方側の１本の前記Ｚ方向単管パイプと１本の前記第二Ｘ方向単管パイプと、のそれぞれを接続できる方向に付け替え、各々１本ずつの前記Ｘ・Ｙ・Ｚ・第二Ｘ単管パイプをそれぞれ対応する前記４ポートパイプジョイントに接続し、前記取り外し対象とする所定の数分の前記単位枠体の内、最上部に位置する前記単位枠体については、１本の前記Ｙ方向単管パイプの両端に設置された２つの前記４ポートパイプジョイントの前記垂直円筒状部と２つの前記水平円筒状部の有するそれぞれの穴部分が、１本の前記Ｘ方向単管パイプと１本の前記Ｙ方向単管パイプと垂直方向下方側の１本の前記Ｚ方向単管パイプと１本の前記第二Ｘ方向単管パイプと、のそれぞれを接続できる方向に付け替え、各々１本ずつの前記Ｘ・Ｙ・Ｚ・第二Ｘ単管パイプをそれぞれ対応する前記４ポートパイプジョイントに接続し、前記取り外し対象とする所定の数分の前記単位枠体を、前記５ポートパイプジョイントを挟むように前記縦型に蓄層された前記単位枠体の側方方向に移動させ、前記取り外し対象とする所定の数分の前記単位枠体の内の最上部及び最下部のそれぞれに位置する前記単位枠体の一対の前記第二Ｘ方向単管パイプの一端を、移動せずに残された前記単位枠体の前記Ｘ方向単管パイプの一端に取り付けられた前記５ポートパイプジョイントにおける前記Ｘ方向単管パイプと同じ方向で両端に穴部を備える２穴水平円筒状部の一端に接続させることで自在に変化させることができる、ことを特徴とする。
【０００９】
第四発明は、前記第二の状態の垂直方向最上部と最下部の、それぞれにおける前記単位枠体の一端部分に横方向に延設され対向する一対の第二Ｘ方向単管パイプと、前記第二Ｘ方向単管パイプのそれぞれ最上部と最下部の水平方向で対向する前記第二Ｘ方向単管パイプ同士を接続する２本の前記Ｙ方向単管パイプと、前記第二Ｘ方向単管パイプのそれぞれ最上部と最下部の垂直方向で対向する前記第二Ｘ方向単管パイプ同士を接続する２本の前記Ｚ方向単管パイプと、が前記４ポートパイプジョイント又は前記５ポートパイプジョイントで接続されることで形成される、物を収納できるスペースを前記第二の状態の一端部に有する、ことを特徴とする。
【００１０】
第五発明は、前記縦型においては、１２本の前記Ｘ方向単管パイプの長さを略５１ｃｍ、１２本の前記Ｙ方向単管パイプの長さを略２５ｃｍ、４本の前記Ｚ方向単管パイプの長さを略５１ｃｍ、１６本の前記Ｚ方向単管パイプの長さを略１７ｃｍとし、前記横型においては、１２本の前記Ｘ方向単管パイプの長さを略５１ｃｍ、１２本の前記Ｙ方向単管パイプの長さを略２５ｃｍ、１２本の前記Ｚ方向単管パイプの長さを略１７ｃｍ、４本の前記Ｚ方向単管パイプの長さ略５１ｃｍ、４本の前記第二Ｘ方向単管パイプの長さ略１７ｃｍとした組み合わせから成る縦型と横型とでは、縦型が横略５４．５ｃｍ、奥行略２８．５ｃｍ、高さ略１２３．５ｃｍであり、横型が横略１２５ｃｍ、奥行略２８．５ｃｍ、高さ略５５．５ｃｍであり、縦型の横の長さと横型の高さ、縦型の高さと横型の横の長さが略同じとなり、縦型と横型の奥行が略同じとなる、ことを特徴とする。
【００１１】
第六発明は、全体又は大部分を覆うようなカバーの取り付けが可能である、ことを特徴とする。
【００１２】
第七発明は同じ大きさのカバーの取り付けが可能である、ことを特徴とする。
【発明の効果】
【００１３】
本発明の実施形態においては、２種のパイプジョイントの取り付け方をそれぞれ規則的にする他、所定のパイプやパイプジョイントの取り外し等をすることにより容易に縦型と横型とに変化させることができ、収納スペースや設置する場所の状況に応じて自在にその収納棚の形状を変化させることができる。
【図面の簡単な説明】
【００１４】
【図１】第１の実施形態に係る本収納棚の第一状態の斜視図である。
【図２】第１の実施形態に係る本収納棚の第二の状態の斜視図である。
【図３】第１の実施形態に係る本収納棚の４ポートパイプジョイントの斜視図等である。
【図４】第１の実施形態に係る本収納棚の５ポートパイプジョイントの斜視図等である。
【図５】第１の実施形態に係る本収納棚の第一状態から第二の状態に変形させる際の取り外し対象部分を取り外した状態を示す斜視図である。
【図６】第１の実施形態に係る本収納棚の第一状態から第二の状態に変形させる際の取り外し対象部分の接続解除が必要な構成要素の取り外し方法を示す説明図である。
【図７】第１の実施形態に係る本収納棚の第一状態から第二の状態への変形の手順を示す説明図である。
【図８】第２の実施形態に係る本収納棚の第一状態と第三状態の斜視図である。
【図９】第２の実施形態に係る本収納棚の第一状態と第三状態においてカバーが取り付けられた状態の斜視図である。
【図１０】第２の実施形態に係る本収納棚の第四状態を示す斜視図である。
【発明を実施するための形態】
【００１５】
以下、本発明の実施形態について図面を参照して説明する。
図１は、第１の実施形態における収納棚を縦型に組み立てた場合の第一状態を示したものである。本収納棚５０は、枠体１Ａ、設置面１６、Ｚ方向単管パイプ９、４ポートパイプジョイント３１Ａ、３１Ｂ、５ポートパイプジョイント４１Ａ、４１Ｂを備える。枠体１Ａは一対のＸ方向単管パイプ１ａ、１ｂと一対のＹ方向単管パイプ１ｃ、１ｄからなる。Ｚ方向単管パイプ９は９ａ、９ｂ、９ｃ、９ｄからなる。
【００１６】
枠体１Ａは、横方向に延設され対抗する一対のＸ方向単管パイプ１ａ、１ｂと、奥行き方向に延設され対抗する一対のＹ方向単管パイプ１ｃ、１ｄと、が互いに接続されて形成される。この枠体１Ａに、これら４つの単管パイプで囲われた水平面に架設された設置面１６と、隣接する枠体同士を互いの４つの角部において垂直方向に接続するためのＺ方向単管パイプ９ａ、９ｂ、９ｃ、９ｄと、を組み合わせたものが単位枠体１である。その複数の単位枠体１、２、３、４、５、６、７を垂直方向に連結させた縦型収納棚が図１に示す第一状態である。これらの単管パイプ同士は後に説明する４ポートパイプジョイント又５ポートパイプジョイントで接続されている。詳しくは、２本のＸ方向単管パイプ１ａ、１ｂのそれぞれの一端１ｅ、１ｇと１本のＹ方向単管パイプ１ｃの両端１ｉ、１ｊとは４ポートパイプジョイント３１Ａ、３１Ｂで接続される。また、２本のＸ方向単管パイプ１ａ、１ｂのそれぞれの他端１ｆ、１ｈと１本のＹ方向単管パイプ１ｄの両端１ｋ、１ｌとは５ポートパイプジョイント４１Ａ、４１Ｂで接続される。本実施形態では、５ポートパイプジョイント４１Ａ、４１Ｂ、４２Ａ、４２Ｂ、４３Ａ、４３Ｂ、４４Ａ、４４Ｂを、図１に示すそれぞれの単位枠体１、２、３、４の正面右側方向側の２か所の角部全てにおいて用いたが、第一の状態にある単位枠体のうち、少なくとも、後に説明の第二の状態の時に、一列分さらに垂直に連結させた枠体と接続される側の単位枠体の２つの角部それぞれにおいて５ポートパイプジョイントを使用すれば足りる。
【００１７】
本実施形態では、設置面１７と設置面１８の間隔が他の設置面同士の間隔と比べて広く設けられている。これは、Ｚ方向単管パイプの長さが長いものを用いたり、また同じ長さのＺ方向単管パイプであってもパイプジョイントを用いて数本つなげたりすることで可能になる。このような方法により隣接する単位枠体の接続の間隔が限定されないので、収納する物の大きさや高さに応じて変化させて組み立てることができる。
【００１８】
また、このように間隔を広げたスペースにあっては、隣接する一対のＺ方向のパイプ間に架設され、物の落下防止のための落下防止部を設けると有用である。例えばＺ方向単管パイプ１０ｂ、１０ｃがマジックテープ（登録商標）等を１本以上用いて架橋されたならば、高さのある収納物の倒れ防止が可能となる。設置面同士の間隔の長短に応じてマジックテープ（登録商標）等の使用する本数を変えることで、幅広く対応することができる。
【００１９】
また、本実施形態では設置面に棚布を用いているものの、板状のものや格子状のもの等
であっても設置可能である。
【００２０】
さらには、本収納棚の全体を覆うようなカバーを取り付けることにより、又はそれと共に上記のように設置棚の間隔を調整する事で、ワードロープのような使用の仕方も可能である。この際、全体を覆うようなカバーでなくとも、覆いたい部分の大きさに合わせてカバーの大きさを変えてもよい。
【００２１】
図２は、第１の実施形態における収納棚を横型に組み立てた場合の第二の状態を示したものである。第一の状態にある単位枠体のうちの所定の数分を、第一の状態における側方側において接続し、垂直方向に蓄層させた前記単位枠体に対して側方側に一列分さらに垂直に連結させた状態が第二の状態である。
【００２２】
図３は、第１の実施形態における４ポートパイプジョイント３０を示す図である。（Ａ）に示す４ポートパイプジョイント３０は、Ｘ・Ｙ・Ｚ単管パイプの外径に等しい内径で両端に穴部３０ｂ、３０ｃを備える垂直円筒状部３０ａと、Ｘ方向単管パイプ及びＹ方向単管パイプのそれぞれと同じ方向に、垂直円筒状部と垂直で互いの角度も直角になるように取り付けられた、垂直円筒状部の外壁部を一端とし、他端部には穴部３０ｄ、３０ｅを備える２つの水平円筒状部３０ｆ、３０ｇと、からなる。（Ｂ）は４ポートパイプジョイント３０の上面図であり、（Ｃ）はそのＢ−Ｂ面図である。本実施形態の垂直円筒状部３０ａは、中央内部に仕切り版３０ｈを設けており、この仕切り版３０ｈにより単管パイプが一定の長さでよりしっかりと固定されることになる。また、垂直円筒状部の外壁部分３０ｉを一端とした水平円筒状部３０ｇはその外壁部分３０ｉが仕切り版としての効果をもたらし、接続される単管パイプがこの部分でよりしっかりと固定される。
【００２３】
図４は第１の実施形態における５ポートパイプジョイント４０を示す図である。（Ａ）に示す５ポートパイプジョイント４０は、Ｘ・Ｙ・Ｚ単管パイプの外径に等しい内径で両端に穴部４０ｂ、４０ｃを備える垂直円筒状部４０ａと、Ｘ方向単管パイプと同じ方向で前記垂直円筒状部と垂直で互いの角度も直角になるように取り付けられた両端に穴部４０ｅ、４０ｆを備える２穴水平円筒状部４０ｄと、Ｙ方向単管パイプと同じ方向で前記垂直円筒状部と垂直で互いの角度も直角になるように取り付けられた、垂直円筒状部の外壁部を一端とし他端部には穴部４０ｈを備える水平円筒状部４０ｇと、からなる。
（Ｂ）は５ポートパイプジョイント４０の上面図であり、（Ｃ）はそのＢ−Ｂ断面図である。垂直円筒状部４０ａ、及び２穴水平円筒状部４０ｄ、にはそれぞれ内部に、仕切り版としての効果をもたらす２穴水平円筒状部の外壁部４０ｊ、仕切り版４０ｉが設けられている。
【００２４】
図５は第１の実施形態の第一状態から第二の状態に変形させる際の取り外し対象部分を取り外した状態を示す斜視図である。本実施形態では、単位枠体１から単位枠体３にかけてその取り外し対象としている。この取り外し対象部分の内の最下部に位置する単位枠体３について、Ｚ方向単管パイプ１１ａ、１１ｂ、１１ｃ、１１ｄと、図１で示す４ポートパイプジョイント３４Ａ、３４Ｂと５ポートパイプジョイント４４Ｂ、４４Ａと、のそれぞれの接続を解除した状態である。
【００２５】
図６は第１の実施形態における第一状態から第二の状態に変形させる際の取り外し対象部分について、さらに接続解除が必要な構成要素の取り外し方法を示す説明図である。まず、２つの４ポートパイプジョイント３３Ａ、３３Ｂを取り外す。それと共に、取り外された２つの４ポートパイプジョイント３３Ａ、３３ＢのＹ方向単管パイプと同じ方向の水平円筒状部で接続された１本のＹ方向単管パイプ３ｃと、４つの角部に対して垂直方向下方側に接続された４本のＺ方向単管パイプ１１ａ、１１ｂ、１１ｃ、１１ｄとを取り外す。
また、取り外し対象とされた単位枠体１〜３の内、最下部に位置する単位枠体３以外の単位枠体１及び単位枠体２については、例えば単位枠体２について、まず２つの４ポートパイプジョイント３２Ａ、３２Ｂを取り外す。それと共に、取り外された４ポートパイプジョイント３２Ａ、３２ＢのＹ方向単管パイプと同じ方向の水平円筒状部で結合された１本のＹ方向単管パイプ２ｃと、取り外された４ポートパイプジョイント３２Ａ、３２Ｂが設置されていた位置と同じ場所に位置する２つの角部に対して垂直方向下方側に接続された２本のＺ方向単管パイプ１０ａ、１０ｂとを取り外す。単位枠体１についても同様とする。
【００２６】
図７は、第１の実施形態における第一状態から第二の状態への変形の手順を示す説明図である。上記の手順で接続等を解除した取り外し対象部分６０を、５ポートパイプジョイント４４Ａ、４４Ｂ、４５Ａ、４５Ｂ、４６Ａ、４６Ｂ、４７Ａ、４７Ｂ、４８Ａ、４８Ｂを挟むように縦型に蓄層された単位枠体６１の側方方向に移動させ、４ポートパイプジョイント、Ｙ方向単管パイプ、Ｚ方向単管パイプが取り外された取り外し対象部分６０におけるＸ方向単管パイプ１ａ、１ｂ、２ａ、２ｂ、３ａ、３ｂの一端を、移動せずに残された単位枠体６１のＸ方向単管パイプの一端に取り付けられた５ポートパイプジョイント４４Ａ、４４Ｂ、４５Ａ、４５Ｂ、４８Ａ、４８Ｂにおける前記Ｘ方向単管パイプと同じ方向で両端に穴部を備える２穴水平円筒状部の一端に接続させる。
【００２７】
図８は、第２の実施形態に係る本収納棚の第一状態（Ａ）と第三状態（Ｂ）を示す斜視図である。（Ｂ）では、第二の状態の垂直方向最上部と最下部のそれぞれにおける、水平方向に隣接する単位枠体同士の中間部分に、それぞれ横方向に延設され対向する一対の第二Ｘ方向単管パイプ７１ａ、７１ｂ、７２ａ、７２ｂを備えることで物を収納できる収納スペース７３が設けられた第三状態を示している。
第一状態（Ａ）から第三状態（Ｂ）への変形の手順は、第一の状態の単位枠体８１、８２、８３、８４、８５のうち、垂直方向最上部から垂直方向下方側に向かって取り外し対象とする単位枠体８１〜８２の内、最下部に位置する単位枠体８２について、まずこの４つの角部に対して垂直方向下方側に接続された４本のＺ方向単管パイプ９１ａ、９１ｂ、９１ｃ、９１ｄを取り外す。次に、設置された２つの４ポートパイプジョイント７４Ａ、７４Ｂの前記垂直円筒状部と２つの前記水平円筒状部の有するそれぞれの穴部分が、１本のＸ方向単管パイプ７２ｄ、７２ｅと、共通する１本のＹ方向単管パイプ７２ｃと、垂直方向上方側の１本のＺ方向単管パイプ９０ａ、９０ｂの一端と、１本の第二Ｘ方向単管パイプ７２ａ、７２ｂと、のそれぞれを接続できる方向に付け替え、各々１本ずつの前記Ｘ・Ｙ・Ｚ・第二Ｘ単管パイプをそれぞれ対応する４ポートパイプジョイントに接続する。さらに、取り外し対象とする所定の単位枠体８１〜８２の内、最上部に位置する単位枠体８１については、設置された２つの４ポートパイプジョイント７５Ａ、７５Ｂの垂直円筒状部と２つの水平円筒状部の有するそれぞれの穴部分が、１本のＸ方向単管パイプ７１ｄ、７１ｅと、共通する１本のＹ方向単管パイプ７１ｃと、垂直方向下方側の１本のＺ方向単管パイプ９０ａ、９０ｂの他端と、１本の第二Ｘ方向単管パイプ７１ａ、７１ｂと、のそれぞれを接続できる方向に付け替え、各々１本ずつのＸ・Ｙ・Ｚ・第二Ｘ単管パイプをそれぞれ対応する４ポートパイプジョイントに接続する。最後に、その取り外し対象部分とされた単位枠体８１〜８２を、５ポートパイプジョイントを挟むように縦型に蓄層された単位枠体の側方方向に移動させ、その取り外し対象とされた単位枠体８１〜８２の内の最上部及び最下部のそれぞれに位置する単位枠体８１、８２の一対の第二Ｘ方向単管パイプ７１ａ、７１ｂ、７２ａ、７２ｂの一端を、移動せずに残された単位枠体のＸ方向単管パイプの一端に取り付けられた５ポートパイプジョイント１０１Ａ、１０１Ｂ、１００Ａ、１００ＢにおけるＸ方向単管パイプと同じ方向で両端に穴部を備える２穴水平円筒状部の一端に接続させる。
【００２８】
この収納スペース７３には、例えば傘のような長い物等の収納に有用である。
【００２９】
また、この第２の実施形態における本収納棚は、縦型（Ａ）においては、１２本のＸ方向単管パイプの長さを略５１ｃｍ、１２本のＹ方向単管パイプの長さを略２５ｃｍ、４本のＺ方向単管パイプの長さを略５１ｃｍ、１６本のＺ方向単管パイプ９１ａ、９１ｂ、９１ｃ、９１ｄの長さを略１７ｃｍとし、横型（Ｂ）においては、１２本のＸ方向単管パイプ７１ｄ、７１ｅ、７２ｄ、７２ｅの長さを略５１ｃｍ、１２本のＹ方向単管パイプ７１ｃ、７２ｃの長さを略２５ｃｍ、１２本のＺ方向単管パイプの長さを略１７ｃｍ、４本のＺ方向単管パイプ９０ａ、９０ｂ、９０ｃ、９０ｄの長さを略５１ｃｍ、４本の第二Ｘ方向単管パイプ７１ａ、７１ｂ、７２ａ、７２ｂの長さ略１７ｃｍとした組み合わせから成るものである。
このようなある所定の長さの単管パイプを用いることにより、縦型と横型とでは、縦型が横略５４．５ｃｍ、奥行略２８．５ｃｍ、高さ略１２３．５ｃｍであり、横型が横略１２５ｃｍ、奥行略２８．５ｃｍ、高さ略５５．５ｃｍであり、縦型の横の長さと横型の高さ、縦型の高さと横型の横の長さが略同じとなり、縦型と横型の奥行が略同じとなる。
【００３０】
また、第２の実施形態に係る第三状態（Ｂ）の収納スペース７３を、図８（Ｂ）のように第二の状態の隣接する単位枠体同士の中間部分に設置するのみならず、図１０で示したように、第二の状態の一端部に設置することも可能である。これを第四状態という。
その手順は次の通りである。まず、図２に示す第二の状態の垂直方向最上部と最下部のそれぞれにおける単位枠体１、２の一端部分に横方向に延設され対抗する一対の第二Ｘ方向単管パイプの一端と、最上部及び最下部のそれぞれの水平方向で第二Ｘ方向単管パイプ同士を接続させる２本のＹ方向単管パイプの一端と、最上部及び最下部のそれぞれの垂直方向で第二Ｘ方向単管パイプ同士を接続させる２本のＺ方向単管パイプの一端とを、４ポートパイプジョイントもしくは５ポートパイプジョイントで接続させる。次に、その対向する一対の第二Ｘ方向単管パイプの他端を、５ポートパイプジョイント４１Ａ、４１Ｂ、４３Ａ、４３Ｂの、Ｘ方向単管パイプと同じ方向で両端に穴部を備える２穴水平円筒状部の一端に接続させる。ここでは、本実施形態のように５ポートパイプジョイント４１Ａ、４１ｂ、４３Ａ、４３Ｂではなく、４ポートパイプジョイントであっても接続が可能である。
この場合においても、縦型においては、１２本のＸ方向単管パイプの長さを略５１ｃｍ、１２本のＹ方向単管パイプの長さを略２５ｃｍ、４本のＺ方向単管パイプの長さを略５１ｃｍ、１６本のＺ方向単管パイプの長さを略１７ｃｍとし、横型においては、１２本のＸ方向単管パイプの長さを略５１ｃｍ、１２本のＹ方向単管パイプの長さを略２５ｃｍ、１２本のＺ方向単管パイプの長さを略１７ｃｍ、４本のＺ方向単管パイプの長さを略５１ｃｍ、４本の第二Ｘ方向単管パイプの長さ略１７ｃｍとした組み合わせとするならば、縦型の横の長さと横型の高さ、縦型の高さと横型の横の長さが略同じとなり、縦型と横型の奥行が同じとなる。
また、図１０における右側に位置する収納スペース７３の右側端部に位置する各パイプジョインとは、外側に突出した筒状部が位置しないように適宜パイプジョイントの種類を変更したり、付ける向きを変更したりすることが望ましい。
【００３１】
そうすると、本実施形態において全体又は大部分を覆うようなカバーを取り付ける際には、第一状態、第三状態、及び第四状態のどの状態においても同じ大きさのカバーの取り付けが可能となり有用である。
【００３２】
第１及び第２の実施形態における本収納棚の最下部については、それぞれに取り付けられたパイプジョイントの種類により、パイプジョイントと接地面との距離に差異があることから、最下部の角部それぞれにおいて高低差を生じる場合がある。このような場合、最下部パイプジョイントの接地面側の円筒状部に関しては、その筒状部分をごく短くしたものや、筒状部がないもの等、別途新たな形状のものを使用することで、この高低差が解消され得る。
また、最下部パイプジョイントのみを交換して、下方側にパイプジョインの円筒状部が向くように付け替えることで、接地面での高さを揃えることも可能である。この場合、４ポートパイプジョイントではなく、５ポートパイプジョイントを使用することが望ましい。
【００３３】
図９は第２の実施形態における、第一状態と第三状態とにカバーが取り付けられた状態の斜視図である。本実施形態においては、ファスナーを用いて収納スペース前面の入り口部分のカバーが解放状態となり、それがロールアップされて結び紐で結べるようになっている。
またカバーについては、横型時における収納スペース７３の収納物を取り出せるように、その上面部に収納物取り出し口７６を設けたり、スリッパ等を入れるためのポケットや、本収納棚の組み立て等に便利な機能を有するものの取り付けたりも可能である。
【００３４】
また、第２の実施形態においては、本収納棚全体が覆われるような大きさのカバーを使用しているが、例えば横型における収納スペース７３が本収納棚の一端部分に形成される場合、カバーの端部分をその収納スペース７３手前までの丈にすれば、収納物の取り出し口を別途設けなくとも、収納物の取り出しが可能となる。以上の、本実施形態の収納棚は、単位枠体の数や左右の積層する場合のそれぞれの段数等を適宜変更して実現することができる。以上のように、棚の積層を縦型だけでなく、横型に変更する際に、全てのパーツを分解してから再度組み立てる必要がなく、最小限の操作で、組み換えを実現することができ。
【符号の説明】
【００３５】
５０                                            本収納棚
１Ａ                                            枠体
１、２、３、４、５、６、７                      単位枠体
１ａ、１ｂ、２ａ、２ｂ、７１ｄ、７１ｅ、７２ｄ、７２ｅ      Ｘ方向単管パイプ
１ｃ、１ｄ、２ｃ、２ｄ、７１ｃ、７２ｃ                      Ｙ方向単管パイプ
９ａ、９ｂ、９ｃ、９ｄ、９０ａ、９０ｂ、９０ｃ、９０ｄ、    Ｚ方向単管パイプ
１６、１７、１８、１９、２０、２１、２２、２３  設置面
３０、３１Ａ、３１Ｂ、３２Ａ、３２Ｂ            ４ポートパイプジョイント
４０、４１Ａ、４１Ｂ、４２Ａ、４２Ｂ、１０１Ａ、１０１Ｂ、１００Ａ、１００Ｂ    ５ポートパイプジョイント
７１ａ、７１ｂ、７２ａ、７２ｂ                  第二Ｘ方向単管パイプ
７３                                            収納スペース
７６                                            収納物取り出し口
【図１】
2016010688.tif 000003
【図２】
2016010688.tif 000004
【図３】
2016010688.tif 000005
【図４】
2016010688.tif 000006
【図５】
2016010688.tif 000007
【図６】
2016010688.tif 000008
【図７】
2016010688.tif 000009
【図８】
2016010688.tif 000010
【図９】
2016010688.tif 000011
【図１０】
2016010688.tif 000012